(57)【要約】  歯科矯正装置（１；１０）が少なくとも１つの歯科矯正的に効果的な要素（４；１２）及び歯科矯正装置（１；１０）を顎に保持する少なくとも１つの保持要素（５；１３）を備えた状態で設計されており、歯科矯正装置（１；１０）は、一体となって設計されている。歯科矯正装置を製造する方法では、歯科矯正装置が取り付けられることとなる顎の三次元モデル（２）のための電子データセットを生成する。顎モデル（２）上への歯科矯正装置の１つ又は２つ以上の歯科矯正要素（４；１２）の仮想的位置決めが行われる。次に、歯科矯正装置の三次元モデル（３；１１）のための電子データセットを生成する。次いで、歯科矯正装置モデルのデータセットに従って付加及び／又は除去製造方法によって歯科矯正装置（１；１０）を製造する。【選択図】図１
2017522069.tif 000002
【特許請求の範囲】
【請求項１】
歯科矯正装置であって、少なくとも１つの歯科矯正的に効果的な要素（４；１２）と、前記歯科矯正装置（１；１０）を顎に保持する少なくとも１つの保持要素（５；１３）とを有し、前記歯科矯正装置（１；１０）は、一体となって設計されている、歯科矯正装置。
【請求項２】
前記歯科矯正要素のうちの少なくとも１つは、ワイヤ型要素（４）であり、該ワイヤ型要素（４）は、複数の歯に被さって延びると共に前記歯の輪郭に合わせて造形されている、請求項１記載の歯科矯正装置。
【請求項３】
前記歯科矯正要素のうちの少なくとも１つは、前記歯科矯正装置を調整するための調整要素（１４）である、請求項２記載の歯科矯正装置。
【請求項４】
保持要素（５；１３）が歯を少なくとも部分的に包囲すると共に該歯に合わせて造形されるように設計されている、請求項１〜３のうちいずれか一に記載の歯科矯正装置。
【請求項５】
請求項６〜１２のうちいずれか一に記載の方法に従って製造された歯科矯正装置。
【請求項６】
歯科矯正装置を製造する方法であって、
‐前記歯科矯正装置が取り付けられることとなる顎の三次元モデル（２）のための電子データセットを生成するステップと、
‐前記歯科矯正装置の１つ又は２つ以上の歯科矯正要素（４；１２）を前記顎モデル（２）上に仮想的に位置決めするステップと、
‐前記歯科矯正装置の三次元モデル（３；１１）のための電子データセットを生成するステップと、
‐前記歯科矯正装置モデルの前記データセットに従って付加及び／又は除去製造方法によって前記歯科矯正装置（１；１０）を製造するステップとを含む、方法。
【請求項７】
前記歯科矯正装置の複数の歯科矯正要素（４；１２）が互いに独立して位置決めされて歯科矯正装置モデル（３；１１）の状態に互いに接合される、請求項６記載の方法。
【請求項８】
１つ又は２つ以上のあらかじめ寸法決めされ又はあらかじめ製作されたコンポーネント（１４）が前記歯科矯正要素（４；１２）に対して仮想的に位置決めされ、そして前記歯科矯正装置モデル（３；１１）に関する前記電子データセット中に含まれる、請求項６又は７記載の方法。
【請求項９】
前記歯科矯正装置の製造後、別の要素が付加製造方法によって付加されると共に／或いは既存の要素又は要素の複数の部分が除去製造方法によって除去される、請求項６〜８のうちいずれか一に記載の方法。
【請求項１０】
前記歯科矯正装置を製造する際、前記歯科矯正装置は、前記付加製造方法の連続して位置する材料層の硬化により、前記歯科矯正装置の既に製造された部分から生じた熱が遮蔽され又は放出されるよう位置決めされる、請求項６〜９のうちいずれか一に記載の方法。
【請求項１１】
前記歯科矯正装置を製造する付加製造方法により、互いに異なる材料が互いに異なる要素のために用いられて互いに接合される、請求項６〜１０のうちいずれか一に記載の方法。
【請求項１２】
歯科矯正要素（４；１２）の仮想的位置決めにより、前記歯科矯正要素が前記顎モデル（２）上に造形される、請求項６〜１１のうちいずれか一に記載の方法。
【発明の詳細な説明】
【技術分野】
【０００１】
本発明は、歯科矯正装置及び歯科矯正装置、例えば歯列矯正具（デンタルブレース）を製造する方法に関する。
【０００２】
従来方法によれば、歯列矯正具を製造するには、歯を含む顎の物理的モデルを作り、歯科矯正的に効果的な要素、例えばワイヤをこのモデル（模型、ｍｏｄｅｌ）上に配置し、次に硬化プラスチックをモデル及び要素上に造形し、それによりこれら要素を固定すると共に連結する。次に、その後の調整又は研磨が必要な場合がある。かかる方法は、例えば独国特許出願公開第３８３１２９２（Ａ１）号明細書に記載されている。
【０００３】
かかる方法の場合、先ず最初に、歯付き顎の印象（impression）を患者について作らなければならず、この印象は、物理的顎モデルのための陰型テンプレートとしての役目を果たす。この目的のため、成形材料、例えば石膏、アルジネート（アルギン酸塩）又はシリコンを備えた印象補助具、例えば印象用トレーを患者の口の中に導入しなければならず、次いで顎に押し付けなければならず、そして待ち期間の後、再び取り外さなければならない。この手順は、患者にとっては不快であり、しかも時間がかかる。さらに、歯列矯正具の製造中、個々のステップを互いに独立して幾つかの手順で連続的に実施しなければならず、それにより待ち期間がそのたびごとに生じる。したがって、歯列矯正具の製造は、時間がかかると共にコスト高である。さらに、顎モデルの製造中、歯科矯正要素の配置中且つ／或いはプラスチックの硬化中、患者の顎について許容誤差が生じる場合があり、かかる許容誤差により、歯列矯正具の最適フィット及び最適効果の実現が不可能になる。
【０００４】
歯交換部品の製造のため、画像化方法が開発され、画像化方法から歯の付いた顎の三次元モデルを得ることができる。この目的のため、例えばカメラ又はスキャナが口の中に導入され、このカメラ又はスキャナは、顎を種々の絵画的角度で撮影し又は走査する。或いは、別の三次元写真生成技術、例えばディジタルボリュームトモグラフィ、コンピュータ支援トモグラフィ又は磁気共鳴トモグラフィによって顎が撮影され又は走査される。これら写真から、コンピュータソフトウェアは、仮想顎モデルのためのデータセットを計算することができ、かかるデータセットから、歯交換部品の造形のための別のデータセットを定めることができる。このデータセットに基づいて、歯交換部品を例えばラピッドプロトタイピング技術によって製作することができる。歯交換部品は、それにより、例えばレーザ放射線によって互いの頂部上に被着された材料層の段階的硬化により製作される。かかる方法は、例えば独国特許出願公開第１０２００７０１４９８５（Ａ１）号明細書及び同第１０２００５０４９８８６（Ａ１）号明細書に記載されている。歯交換部品、例えば歯冠、橋義歯（ブリッジ）又はインプラントは、数立方ミリメートルの容積を持つ空間を充填する単一の部品である。この種の嵩張る部品に関し、付加方法、例えばラピッドプロトタイピングが機械的製造業界から知られている。
【先行技術文献】
【特許文献】
【０００５】
【特許文献１】独国特許出願公開第３８３１２９２（Ａ１）号明細書
【特許文献２】独国特許出願公開第１０２００７０１４９８５（Ａ１）号明細書
【特許文献３】独国特許出願公開第１０２００５０４９８８６（Ａ１）号明細書
【発明の概要】
【発明が解決しようとする課題】
【０００６】
本発明の目的は、患者が装用するのに快適であり、歯科治療を申し分なく実施し、しかも簡単な仕方で調整できる歯科矯正装置を作ることにある。さらに、本発明の目的は、患者にそれほどストレスをかけず、少ない作業ステップで達成でき、迅速且つ正確であり、しかも簡単な仕方で調整を可能にする歯科矯正装置の製造方法を提供することにある。
【課題を解決するための手段】
【０００７】
この目的は、請求項１記載の歯科矯正装置及び請求項６記載の歯科矯正装置の製造方法によって達成される。有利な実施形態及び別の実施例は、従属形式の請求項に記載されている。
【０００８】
本発明の歯科矯正装置は、少なくとも１つの歯科矯正的に効果的な要素及び歯科矯正装置を顎に保持する少なくとも１つの保持要素を有する。歯科矯正的に効果的な要素は例えば、例えば１本又は２本以上の歯に当接するワイヤブラケット、顎で支持される顎板、ワイヤブラケット等を調整する調整要素及び他の要素であり、これらは、歯科矯正装置に関してありふれたものである。保持要素は例えば、歯科矯正装置を顎の上に固定するために歯の上に又はこの周りに配置される歯支持体であると言える。原理的には、保持要素は、歯科矯正的に効果的な要素であるとも言える。一般に、歯科矯正要素は、顎の中の互いに異なる領域に対して個々に影響を及ぼすことができると共に歯科矯正装置を顎にしっかりと保持することができるようにするために複数の歯科矯正要素及び複数の保持要素を有する。
【０００９】
本発明によれば、歯科矯正装置は、一体となって設計されている。「一体となって」という用語は、全ての要素が含まれた歯科矯正装置全体が一体となって形成されることを意味するものと理解されるべきである。最初に述べるべきこととして、その後に互いにしっかりと連結しなくてはならない個々の部品又はそれぞれの要素は、存在しない。一体形装置は、それにより、歯科矯正要素及び保持要素に対応した互いに異なる領域を有し、そしてこれらの機能を実行する。互いに異なる領域は、互いに直接合体している。それにより、歯科矯正装置の互いに異なる領域が別個の連結手段なしで互いに対して構成された互いに異なる材料、例えば金属又はプラスチックで作られるということが完全に可能である。
【００１０】
本発明の一実施形態では、歯科矯正装置は、歯科矯正要素として少なくとも１つのワイヤ型要素を有し、このワイヤ型要素は、複数の歯に被さって延びると共に歯の輪郭に合わせて造形されている。造形されたワイヤ型要素は、この要素が歯の外面上の少なくとも大部分に当接するように歯の輪郭を辿っている。ワイヤ型要素によって歯に及ぼされる圧力をそれにより広い領域にわたって歯に伝えることができ、それにより歯科矯正効果を正確に実現することができる。
【００１１】
さらに、本発明の歯科矯正装置の実施形態では、保持要素が歯を部分的に包囲すると共にそれぞれ歯に合わせて造形され又はそれぞれ適合するよう設計されている。それ故、保持要素の当接面は、少なくとも大部分に関して歯の外面に直接当接する。それにより、保持要素は、それ自体歯に適合し、保持力が広い領域にわたって歯に伝えられる。保持要素は好ましくは、環状設計のものであり、歯を完全に包囲する。
【００１２】
本発明の歯科矯正装置の更に別の実施形態では、歯科矯正要素のうちの少なくとも１つは、歯科矯正装置の調整を行うための調整要素として設計されている。調整要素は、例えば、ねじであるのが良い。調整要素は、顎に当接する必要なく、この代わりに、別の歯科矯正要素に取り付け可能である。
【００１３】
本発明の歯科矯正装置は、好ましくは、歯科矯正装置を製造する本発明の方法により製造される。本発明の方法は、少なくとも次のステップを含む。歯科矯正装置が取り付けられることとなる顎の三次元モデル（模型、ｍｏｄｅｌ）のための電子データセットを生成する。次に、歯科矯正装置の少なくとも１つの歯科矯正要素を顎モデル上に仮想的に位置決めする。それにより、この要素をコンピュータシミュレーションにより顎モデル上に配置する。それと同時に、歯科矯正要素のための形状を決定するのが良い。好ましくは、歯科矯正要素をこれが設けられることとなる顎領域の輪郭に適合させる。歯科矯正要素及びかくして歯科矯正装置を顎に当接させる少なくとも１つの当接面は、それにより、顎輪郭の少なくとも大部分を辿る。かくして、仮想的位置決め中、歯科矯正要素を有利には、顎モデルに対して造形する。その後、歯科矯正装置の三次元モデルのための電子データセットを生成する。このデータセットは、少なくとも１つの歯科矯正要素の位置決め及び歯科矯正装置について予想される場合、別の要素、例えば保持要素の位置決めを含む。最後に、歯科矯正装置を歯科矯正装置モデルのためのデータセットに従って付加及び／又は除去製造法によって製造する。
【００１４】
本発明の方法は、特に上述した歯科矯正装置の製造に有利である。しかしながら、この方法は又、有利には、既存の装置の一層の開発及び装置中へのあらかじめ製作されたコンポーネントの組み込みのために使用できる。この方法は、歯を動かす目的で、例えば、顎だけの上での歯の運動又は顎相互の運動の目的で、或いは望ましくない歯の運動を阻止する目的で、歯科矯正装置の製造に適している。例えば取り外し可能な歯列矯正具、保持具等を製造することができるが、固定される装置のための要素も又製造できる。
【００１５】
製造及び電子データセットの処理は、コンピュータによって実施され、コンピュータは、とりわけ、顎に関するイメージデータのモデルデータへの変換及び顎モデルに対する要素の位置決めに適当なアルゴリズムを有する。顎のためのイメージデータは、例えば、技術の現状から知られているスキャナ（口内又は口外）、カメラ、イオン化又は他の光を利用しない画像化技術（ＣＴ、ＤＶＴ、ＭＲＩ）によって捕捉される。コンピュータは、歯科矯正装置のためのデータセットを付加又は除去製造方法のために製造施設の制御ユニットに伝送する。
【００１６】
付加製造方法として、例えば、選択レーザ溶融、選択レーザ焼結又はラピッドプロトタイピングが用いられる。付加製造方法を用いると、三次元物体が製作され、個々の材料層がこの物体の形状に対応した平面内に被着されて硬化される。かくして、物体は、層の状態で構成され、個々の層が互いに結合して全体となり、物体は、一体となって形成される。構成又は製造材料の変更により、物体は又、互いに異なる材料の領域を有することができる。付加製造方法は、歯科矯正装置を製造するのに必要な材料が少ないという利点を有する。歯科矯正装置を構成する材料として生物学的に適合性のある材料が用いられ、歯科矯正装置の個々の層を得るためにかかる生物学的に適合性のある材料を適当な形態で提供することができる。この材料は、例えば、流体の形態又は粉末の形態であるのが良い。金属として例えばコバルトクロム又はその合金を用いることができる。有利な仕方では、歯科矯正装置の製造のため、互いに異なる構成材料を互いに異なる要素のために使用して互いに接合するのが良い。例えば、金属のワイヤ型要素及びプラスチックの顎板をそれにより製作することができる。材料は、歯科矯正装置の種々の領域のために使用でき、これら材料は、硬化後、弾性、硬さ等に対する様々な要件を満たす。
【００１７】
除去製造方法として、例えば、レーザ切断法が用いられ、それにより、所望の形態を得るために材料を三次元モデルに従ってブランクから除去する。
【００１８】
この製造方法の一利点は、患者にとってアルジネート、シリコン等を用いる不快な印象を使用しなくても済むということにある。加うるに、要素の仮想的位置決めによって造形の多様性が高いことにより、患者のための歯列矯正具をできるだけ快適な仕方で設計するという可能性が得られる。要素及び矯正装置全体の厚さ及び剛性を最適に適合させることができ、しかも完全なフィット精度を歯と歯列矯正具の連結のために達成することができる。
【００１９】
本発明の方法の変形例では、歯列矯正装置の複数の歯科矯正要素を互いに別個独立に位置決めし、そして装置モデル中に組み込む。この装置モデルでは、複数の歯科矯正要素を一体となって互いに接合する。好ましくは、歯科矯正要素及び更に歯科矯正装置を顎に保持する保持要素並びに他の要素を顎モデル上に位置決めし、装置データセットに組み込み、そしてそれぞれ付加又は除去製造方法により製造する。それにより、歯科矯正装置を迅速且つ正確なフィット感を備えた状態で製造できる。
【００２０】
本発明の方法の別の変形例では、１つ又は２つ以上のあらかじめ寸法決めされ又はあらかじめ製作されたコンポーネント、例えばねじの形態の調整要素を歯科矯正要素に対して仮想的に位置決めすることができ、そして装置モデルのための電子データセットに含めることができる。装置の付加製造により、構成材料をコンポーネントの周りに層の状態に分布して配置し、そして硬化させ、その結果、このコンポーネントは、装置中にしっかりと組み込まれるようになる。それにより、又、硬化のために用いられる放射線により、構成材料は、コンポーネントの材料と化学的に結合することが可能である。かくして、歯科矯正装置を例えば従来型歯科技工器具の形態をしたコンポーネントにより所望に応じて拡張することができる。
【００２１】
本発明の方法の更に別の変形例では、歯科矯正装置の製造後、付加製造方法によって別の要素を追加することができると共に／或いは既存の要素又は要素の幾つかの部分を除去製造方法によって除去することができる。それにより、歯科矯正装置を新たな要件に適合させることができ又は必要ならば製造後に修正することができる。この目的のため、既存の装置は、モデル装置のためのデータセットに含められ、別の要素が仮想的に追加され、或いは、除去されることとなる領域が仮想的になくされる。
【００２２】
この方法では、歯科矯正装置は、層の状態での配置の際に又はそれぞれ構成材料の硬化中、装置の既に完成した部分を損傷させる恐れのある多すぎるほどの量の熱が溶融場所の周囲に生じることのないような仕方で装置の製造中、好ましくは位置合わせされ又は配置される。
【００２３】
本発明の方法の一利点として、歯科矯正装置は、互いに異なる金属、例えばコバルトクロム及びニッケルチタンで作られた要素を備えた状態で製造される。これは、調製中に付加することによるか、製作プロセス中、直接連結によるか、製造プロセス中、材料組成の局所変更によるかのいずれかで残る場合がある。かくして、例えば、フィンガスプリングのような要素を歯科矯正装置上に設けるのが良い。既存の歯列矯正具、例えば臼歯バンドの捕捉された３Ｄデータによって、歯科矯正装置も又これらに直接連結することができ、それによりこの形状に対応した連結部品を設計し、そして装置モデル中に組み込む。さらに、歯科矯正装置を従来通りかラピッドプロトタイピングかのいずれかで製造されるプラスチック要素、例えば唇側プラスチックシールドを備えたリップバンパで拡張することができる。歯列矯正装置を骨格アンカ、例えばミニインプラントシステムに固定することができる。
【００２４】
複数の実施例を参照して本発明について説明した。また、一実施例の個々の技術的特徴を、説明した利点を備える別の実施例と組み合わせて使用することは申し分なく可能である。したがって、本発明の技術的説明は、それぞれの実施例に限定されない。
【００２５】
図面を参照して本発明の有利な実施形態を以下に説明するが、かかる実施形態は、説明目的に役立つに過ぎず、本発明を限定する仕方で解されるべきではない。図面から開示される特徴は、個々に及び任意の組み合わせの状態で本発明の開示に属するものとして解されるべきである。
【図面の簡単な説明】
【００２６】
【図１】第１の歯科矯正装置のモデリングの断面図である。
【図２】図１のモデリングからの第１の歯科矯正装置を示す図である。
【図３】保持具の形態をした第２の歯科矯正装置を示す図である。
【図４】調整要素を備えた第２の歯科矯正装置のモデリングの断面図である。
【図５】図４のモデリングからの第２の歯科矯正装置を示す図である。
【発明を実施するための形態】
【００２７】
図１は、歯科矯正装置１のモデリング（模型化、ｍｏｄｅｌｌｉｎｇ）中における画像の断面を示しており、第１の歯科矯正装置は、図２に示されている。図１には、顎モデル（模型、ｍｏｄｅｌ）のための電子データセットによって求められた歯付き下顎の三次元顎モデル２の写真が示されている。データセットは、患者の口の中で撮影された画像から得られている。さらに、装置モデルのための電子データセットによって求められた装置の三次元モデル、即ち装置モデル３が示されている。装置モデル３は、ワイヤ型歯科矯正要素４を有し、このワイヤ型歯科矯正要素は、数個の歯に沿って顎の内側上に延びている。歯科矯正要素４は、切歯の内側上に位置すると共にこれらに当接し、そしてこの歯科矯正要素は、これらの歯上にそれ自体を支持するためにこれらの歯の輪郭を辿っている。ワイヤ型要素４は、引張り曲がり部７を更に有する。臼歯に沿う歯科矯正要素４の側方領域は、歯から間隔を置いた状態で延びている。歯科矯正要素４の両端部上にはそれぞれ、保持要素５が設けられており、保持要素５は、環状要素として臼歯を包囲している。保持要素５は、歯上の１つの当接フェースで歯を包囲した状態で配置されており、その結果、当接面は、歯の輪郭に適合するようになっている。装置モデルは、歯科矯正要素４及び保持要素５を顎モデル２上にどのように位置決めするかを示しており、歯科矯正装置は、切歯及び後側臼歯上に支持され、かかる歯科矯正装置は、引張り曲がり部７によって圧力を及ぼすことができるようになっている。さらに、保持要素５は、これらの外面上に小さな突起６を有し、これら突起は、顎からの装置の取り外し中、接触箇所としての役目を果たす。
【００２８】
原理的には、歯科矯正装置について予想される要素に加えて、付加製造方法による製造を容易にする補助要素を提供することが可能である。補助要素は、装置モデルのためのデータセットに含められ、これら補助要素は、製造中、同時に製造される。保持要素は、次に、例えば除去製造方法により後で除去される。補助要素として、例えばクロスピース又はブレースが設けられるのが良く、これらクロスピース又はブレースは、装置の右顎側と左顎側を連結する。
【００２９】
図２は、歯科矯正装置１を示しており、この歯科矯正装置は、本発明の製造方法で製造されている。歯科矯正装置は、金属で作られている。はっきりと分かるように、装置１は、一体のものである。ワイヤ型歯科矯正要素４と２つの保持要素５の両方は、継ぎ目なしのやり方で一体として造形されている。本発明の方法によって、互いに異なる直径又は断面を備えたワイヤ型要素４の互いに異なる領域を設計することが可能である。例えば、側方領域及び切歯のところの領域が長円形の断面を有し、歯科矯正要素がこれらの領域で剛性であれば有利であり、又、引張り曲がり部７の領域に丸形断面を提供すれば有利であり、それにより、これは、容易に曲げ可能である。歯科矯正装置１は、本発明の製造方法に従って付加製造方法によって完全に製造されている。したがって、この歯科矯正装置は、一作業プロセスで完全に製造される。
【００３０】
図３は、歯の望ましくない動きを阻止するのに役立つリテーナ又は保持具を示している。保持具は、保持要素８及び保持要素８の両側上で延びる２つの歯科矯正装置９，９′を有する。歯科矯正装置９，９′は、歯の輪郭に適合しており、これら歯をこれらの定位置に保つ。歯に対する接触面は、それぞれ、最適な保持面のために平坦化されており、したがって、歯相互間の直径は、歯の表面のところでの円形と半円形との間で様々である。保持要素８は、患者の口の中への最適な位置決めのために役立ち、保持要素８は、歯への固定後に分離される。保持具は、同様に、一体となって設計されている。
【００３１】
図４は、第２の歯科矯正装置１０のモデリング中における画像からの断面を示しており、この歯科矯正装置１０は、図５に示されている。図４には、三次元顎モデル２、この場合上顎の画像が再度示されている。この写真は、装置モデル１１を示しており、この装置モデルは、顎の右側及び左側上に各々１つの歯科矯正要素１２，１２′を有し、歯科矯正要素１２，１２′は、臼歯の内側に適合し、そして歯の輪郭を辿っている。最も後側の臼歯の周りには歯科矯正要素１２，１２′は、保持要素１３，１３′を備え、保持要素１３，１３′は、歯の周りにほぼひとまわり延びており、そして正確にフィットする仕方でこの歯に当接している。装置モデル１１は、拡張ねじの形態をした調整要素１４を更に示している。調整要素１４は、ワイヤ型連結要素１５によって歯科矯正要素１２，１２′に連結されている。調整要素１４は、技術の現状から知られているようにあらかじめ製作されたコンポーネントとして利用できる。グラフィック画像がこのコンポーネントで作られており、このグラフィック画像から得られたイメージデータが装置モデルのためのデータセットに組み込まれている。本発明の方法を用いて歯科矯正装置１０を製造している間、付加製造プロセスの際にこの方法において調整ねじのためのコンポーネントを考慮に入れる。この目的のため、このコンポーネントを予想される位置に着座させ、装置の層のような構造がこのコンポーネントの周りに生じ、それにより、構成材料も又、このコンポーネントに接合されてこれと共に硬化される。
【００３２】
図５は、完成状態の歯科矯正装置１０を示している。図５には、歯科矯正要素１２，１２′及び保持要素１３，１３′の接触面１６，１６′が見え、これら接触面により、装置１０は、患者の歯に当接する。明らかに認識できることとして、接触面１６，１６′の形態は、これらが顎モデルによって定められているので、歯の輪郭に対応している。
【００３３】
図４及び図５の歯科矯正装置の実施形態は、本発明に従って歯科矯正装置を製造する方法に従って製造された装置を提示している。調整要素１４を装置内のあらかじめ製作されたコンポーネントとして一体化するのではなく、調整要素を歯科矯正要素１２，１２′及び連結要素１５と同時に付加製造方法により本発明に従って製造することができる。このようにして製造された歯科矯正装置は、一体となって設計されている。装置の全ての要素を同一の作業ステップで製作する。しかしながら、例えば、調整ねじを歯科矯正要素とは異なる構成材料で製作することが想定できる。
【図１】
2017522069.tif 000003
【図２】
2017522069.tif 000004
【図３】
2017522069.tif 000005
【図４】
2017522069.tif 000006
【図５】
2017522069.tif 000007
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
歯科矯正装置であって、少なくとも１つの歯科矯正的に効果的な要素（４，１２）と、前記歯科矯正装置（１，１０）を顎に保持する少なくとも１つの保持要素（５，１３）とを有し、前記歯科矯正装置（１，１０）は、該歯科矯正装置が前記歯科矯正的に効果的な要素（４，１２）及び前記保持要素（５，１３）に対応すると共に互いに直接合体する、互いに異なる領域を有するよう一体となって設計され、それにより、前記歯科矯正的に効果的な要素（４，１２）のうちの少なくとも１つは、前記歯科矯正装置を調整するよう設計されている、歯科矯正装置。
【請求項２】
前記歯科矯正装置の前記互いに異なる領域は、互いに異なる材料で作られ、別個の連結手段が設けられずに、互いに対して構成された、請求項１記載の歯科矯正装置。
【請求項３】
前記歯科矯正的に効果的な要素のうちの少なくとも１つは、前記歯科矯正装置を調整するための調整要素（１４）である、請求項１又は２記載の歯科矯正装置。
【請求項４】
前記歯科矯正要素のうちの少なくとも１つは、ワイヤ型要素（４）であり、該ワイヤ型要素（４）は、複数の歯に被さって延びると共に前記歯の輪郭に合わせて造形されている、請求項１〜３のうちいずれか一に記載の歯科矯正装置。
【請求項５】
保持要素（５；１３）が歯を少なくとも部分的に包囲すると共に該歯に合わせて造形されるように設計されている、請求項１〜４のうちいずれか一に記載の歯科矯正装置。
【請求項６】
前記調整要素（１４）は、あらかじめ製作されたコンポーネントとして存在し、前記歯科矯正装置を製造するための製造材料は、前記コンポーネントの周りに層をなして分布して配置されると共に硬化され、その結果、前記調整要素（１４）が前記歯科矯正装置中にしっかりと組み込まれている、請求項３〜５のうちいずれか一に記載の歯科矯正装置。
【請求項７】
前記製造材料は、化学的に結合される、請求項６記載の歯科矯正装置。
【請求項８】
請求項１〜７のうちいずれか一に記載の歯科矯正装置を製造する方法であって、
‐前記歯科矯正装置が取り付けられることとなる顎の三次元モデル（２）のための電子データセットを生成するステップと、
‐前記顎モデル（２）上に前記歯科矯正装置の１つ又は２つ以上の歯科矯正要素（４，１２）及び前記歯科矯正装置（１０）を前記顎に保持する少なくとも１つの保持要素（１３）を仮想的に位置決めするステップと、
‐調整要素（１４）の形態をした１つ又は２つ以上のあらかじめ寸法決めされ又はあらかじめ製作されたコンポーネントを仮想的に前記歯科矯正要素（４，１２）に対して仮想的に位置決めするステップと、
‐前記歯科矯正装置の三次元モデル（１１）のための電子データセットを生成するステップと、
‐前記歯科矯正装置モデルの前記データセットに従って付加及び／又は除去製造方法によって前記歯科矯正装置（１，１０）を製造するステップとを含む、方法。
【請求項９】
前記歯科矯正装置の複数の歯科矯正要素（４；１２）が互いに独立して位置決めされて歯科矯正装置モデル（１１）の状態に互いに接合される、請求項８記載の方法。
【請求項１０】
前記歯科矯正装置の製造後、別の要素が付加製造方法によって付加されると共に／或いは既存の要素又は要素の複数の部分が除去製造方法によって除去される、請求項８又は９記載の方法。
【請求項１１】
前記歯科矯正装置を製造する際、前記歯科矯正装置は、前記付加製造方法の連続して位置する材料層の硬化により、前記歯科矯正装置の既に製造された部分から生じた熱が遮蔽され又は放出されるよう位置決めされる、請求項８〜１０のうちいずれか一に記載の方法。
【請求項１２】
前記歯科矯正装置を製造する同一の製造方法中に付加製造方法を用いて、互いに異なる材料が互いに異なる要素のために用いられて互いに接合される、請求項８〜１１のうちいずれか一に記載の方法。
【請求項１３】
歯科矯正要素（４；１２）の仮想的位置決めにより、該歯科矯正要素は、前記顎モデル（２）上に造形される、請求項８〜１２のうちいずれか一に記載の方法。
【国際調査報告】
2017522069.tif 000008
2017522069.tif 000009
2017522069.tif 000010
2017522069.tif 000011
2017522069.tif 000012
2017522069.tif 000013